(57)【要約】      （修正有）【課題】洗浄装置を小型化し、省電力化ができるエアー洗浄装置を提供する。【解決手段】エアー洗浄装置１は、洗浄するワーク２４を出し入れするための開口４を一方側に設けた筒状のカバー３に囲われた除塵室２と、除塵室２の開口４の周面に設け、ワーク２２に圧縮エアーを吹き付けるエアーブロー用のエアーノズル５と、除塵室２の他方側に設け、エアーノズル５からの吹き付けでワーク２２から除去された塵埃を回収する集塵部１０と、除塵室２の開口４よりワーク２４がカバー３内に入れられることを検出するセンサ８と、ワーク２２に吹き付ける圧縮エアーを送出するためのコンプレッサー２０を備える。集塵部２の他方側にベンチュリ管１１が設けられ、このベンチュリ管１１により除塵室２内の塵埃を含んだ空気を吸入側１１ａから引き込むとともに、排出側１１ｂから除塵室２外に排出され、ベンチュリ管１１に流入させる圧縮エアー及びワーク２４に吹き付ける圧縮エアーをコンプレッサー２０から送出する。【選択図】図１
0003187294.tif 000002
【実用新案登録請求の範囲】
【請求項１】
洗浄するワークを出し入れするための開口を一方側に設けた筒状のカバーに囲われた除塵室と、前記除塵室の開口の周面に設けられ、前記ワークに圧縮エアーを吹き付けるエアーブロー用のエアーノズルと、前記除塵室の他方側に設けられ、前記エアーノズルからの吹き付けにより前記ワークから除去された塵埃を回収する集塵部と、前記除塵室の開口よりワークが前記カバー内に入れられることを検出するセンサと、
前記ワークに吹き付ける圧縮エアーを送出するためのコンプレッサーを備えたエアー洗浄装置であって、
前記集塵部は、前記除塵室の他方側にベンチュリ管が設けられ、このベンチュリ管により前記除塵室内の塵埃を含んだ空気を吸入側から引き込むとともに、排出側から前記除塵室外に排出され、
前記ベンチュリ管に流入させる圧縮エアー及び前記ワークに吹き付ける圧縮エアーを前記ポンプから送出してなるエアー洗浄装置。
【請求項２】
集塵部には、ベンチュリ管によって引き込まれた空気中に含まれる塵埃を捕集するための袋状の集塵フィルターを前記ベンチュリ管の排出側に設けられた請求項１に記載のエアー洗浄装置。
【請求項３】
除塵室を囲うカバーを透明な樹脂によって形成し、一方側に設けた開口には、複数の放射状のスリットを形成した柔軟なシートからなる手入れ窓を形成した請求項１に記載のエアー洗浄装置。
【考案の詳細な説明】
【技術分野】
【０００１】  本考案は、ワークに付着した塵埃を圧縮エアーで吹き飛ばして洗浄するとともに、ワークから除去された塵埃を集塵するエアー洗浄装置に関する。
【背景技術】
【０００２】  電子機器、医療機器、輸送機器等々に使用される各種部品を製造する過程において、金属加工、樹脂成形、研磨加工等を行うとき、部品等のワークには、切削屑や研磨粉、或いは、その他の付着物等の塵埃が付着する。この塵埃は、各種の悪影響を及ぼすことから洗浄する必要がある。塵埃を洗浄する装置としては、圧縮エアーで吹き飛ばすことで洗浄した後、飛散した塵埃を回収する集塵手段を備えた各種の装置が提案され、実用に供されている。例えば、特開２００３−３３４４９９号公報（特許文献１）は、ワークに付着した麈埃を回転ブラシによって除去し、回転ブラシに付着した塵埃にエアーを吹き付けて集塵部により吸引除去することが開示されている。また、特開２００５−１９９１６９号公報（特許文献２）には、塵埃が付着したプラスチック製品に向けて圧縮空気を吹き付けることにより塵埃を除去し、この塵埃を集塵部によって回収する除塵装置が開示されている。また、このように、塵埃が付着したワークに対してエアーを吹き付けて除塵した後、除去された塵埃を集塵する装置は、除塵対象となるワークによって異なり、その工夫された点が種々提案されている。【０００３】  このように、ワークに付着した塵埃を除去するためには、ワークにエアーを吹き付けて麈埃を除去するエアーブロー部と、ワークから除去された塵埃を集塵する集塵部とが備えられる。特許文献１に開示された装置においては、エアーブロー部にポンプから供給するためのエアーをエアー供給部と、エアーブロー部のエアーと飛散した塵埃を吸引する集塵部を駆動するためのバキューム機構が設けられている。また、特許文献１に開示された装置においても、エアーブロー部の塵埃を含んだエアーを引き込むための吸気用ファンが設けられている。
【先行技術文献】
【特許文献】
【０００４】
【特許文献１】特開２００３−３３４４９９号公報
【特許文献２】特開２００５−１９９１６９号公報
【考案の概要】
【考案が解決しようとする課題】
【０００５】  従来一般の洗浄装置は、エアーブロー部にエアーを供給するためのコンプレッサーと、麈埃を吸引するためのバキューム機構用のファンを設けている。このようにコンプレッサーとファンを設けるため装置が必然的に大型化することから、携帯用或いは卓上用等に使用する場合に必要な小型化ができない問題がある。また、コンプレッサーとファンには個々に電力を供給していることから、大きな消費電力を必要とするため、省電力化ができない問題がある。【０００６】  本考案が解決しようとする課題は、コンプレッサーをエアーブロー用と集塵用に共用することにより、洗浄装置を小型化することができ、しかも省電力化ができるエアー洗浄装置を提供することにある。
【課題を解決するための手段】
【０００７】  そこで、本考案によるエアー洗浄装置は、洗浄するワークを出し入れするための開口を一方側に設けた筒状のカバーに囲われた除塵室と、前記除塵室の開口の周面に設けられ、前記ワークに圧縮エアーを吹き付けるエアーブロー用のエアーノズルと、前記除塵室の他方側に設けられ、前記エアーノズルからの吹き付けにより前記ワークから除去された塵埃を回収する集塵部と、前記除塵室の開口よりワークが前記カバー内に入れられることを検出するセンサと、前記ワークに吹き付ける圧縮エアーを送出するためのコンプレッサーを備えたエアー洗浄装置であって、前記集塵部は、前記除塵室の他方側にベンチュリ管が設けられ、このベンチュリ管により前記除塵室内の塵埃を含んだ空気を吸入側から引き込むとともに、排出側から前記除塵室外に排出され、前記ベンチュリ管に流入させる圧縮エアー及び前記ワークに吹き付ける圧縮エアーを前記ポンプから送出することを要旨としている。【０００８】  また、集塵部には、ベンチュリ管によって引き込まれた空気中に含まれる塵埃を捕集するための袋状の集塵フィルターを前記ベンチュリ管の排出側に設ける。【０００９】  さらに、除塵室を囲うカバーを透明な樹脂によって形成し、一方側に設けた開口には、複数の放射状のスリットを形成した柔軟なシートからなる手入れ窓を形成している。
【考案の効果】
【００１０】  本考案によるエアー洗浄装置は、除塵室内の塵埃を含んだ空気を吸入側から引き込み、除塵室外に排出する集塵部にベンチュリ管が設けれ、このベンチュリ管を作動させるために流入させる圧縮エアーと、ワークに吹き付けて洗浄するための圧縮エアーを１台のコンプレッサーから送出するようにしているので、装置を小型化することができる。また、部品点数が減少することから、携帯用の洗浄装置を実現させることが可能であり、この場合には、卓上でも容易に使用することが可能となる。さらに、集塵部に使用するファンを不要にできるので、消費電力を減少させることが可能となり、省電力化を図ることができる。【００１１】  また、集塵部には、ベンチュリ管によって引き込まれた空気中に含まれる塵埃を捕集するための袋状の集塵フィルターがベンチュリ管の排出側に設けられているので、塵埃が外部に放出することを阻止することができる。【００１２】  さらに、カバーを透明な樹脂によって除塵室を囲っているので、除塵室内で洗浄するワークと洗浄状態を外方から目視することができ、ワークを確実に洗浄することができる。しかも、除塵室の一方側の開口に、複数の放射状のスリットを形成した柔軟なシートからなる手入れ窓を設けているので、除塵室内の塵埃を含んだ空気を開口から漏出させないので、クリーンな洗浄作業を行うことができる。
【図面の簡単な説明】
【００１３】
【図１】本考案に係るエアー洗浄装置の一実施例を示す断面図である。
【図２】図１に示すエアー洗浄装置の正面図である。
【図３】ベンチュリ管を示す横断面図である。
【図４】図１に示すベンチュリ管を示す正面図である。
【考案を実施するための形態】
【００１４】  エアー洗浄装置は、洗浄するワークを出し入れするための開口を一方側に設けた筒状のカバーに囲われた除塵室と、前記除塵室の開口の周面に設けられ、前記ワークに圧縮エアーを吹き付けるエアーブロー用のエアーノズルと、前記除塵室の他方側に設けられ、前記エアーノズルからの吹き付けにより前記ワークから除去された塵埃を回収する集塵部と、前記除塵室の開口よりワークが前記カバー内に入れられることを検出するセンサと、前記ワークに吹き付ける圧縮エアーを送出するためのコンプレッサーを備えたエアー洗浄装置であって、前記集塵部は、前記除塵室の他方側にベンチュリ管が設けられ、このベンチュリ管により前記除塵室内の塵埃を含んだ空気を吸入側から引き込むとともに、排出側から前記除塵室外に排出され、前記ベンチュリ管に流入させる圧縮エアー及び前記ワークに吹き付ける圧縮エアーを前記コンプレッサーから送出する。
【００１５】  以下、図面に基づいて本考案の実施例を詳細に説明する。エアー洗浄装置１は、図１に示すように、筒状のカバー３に囲われた除塵室２と、この除塵室２の一方側に設けられた開口４の周面に設けられたエアーブロー用のエアーノズル５と、除塵室２の他方側に設けられた集塵部１０によって構成されている。
【００１６】  除塵室２の一方側に設けられたカバー３は、アクリル樹脂等の透明な樹脂によって、中空の円筒状に形成され、外方から除塵室２の内部が目視できるようにしている。カバー３の図示左方に形成した開口４には、外形が略四角形に形成され、中央にカバー３とほぼ同径の穴が形成された取付枠６が固着されている。また、取付枠６とカバー３の開口４との間には、複数の放射状のスリット７ａを形成した柔軟がシートからなる手入れ窓７が設けられ、取付枠６の穴を塞いでいる。そして、手入れ窓７から後述するワーク２４を所持した手を出し入れすることができる。
【００１７】  除塵室２の開口４に固着された取付金具６の外方には、開口４からワーク２２がカバー３内に入れられることを検出するセンサ８が設置されている。さらに、開口４の周面近傍のカバー３の上部には、ワーク２２に圧縮エアーを吹き付けるためのエアーノズル５が配設されている。このエアーノズル５は、先端５ａがカバー３内のほぼ中央部に向けられ、圧縮エアーを導入させる導入口５ｂがカバー３の外方に突出するように配設されている。
【００１８】  一方、除塵室２となるカバー３の図示右方の他方側には、隔離板９が固着され、その右方に集塵部１０が設けられている。集塵部１０には、ベンチュリ管１１と、集塵フィルター１２が設けられ、これらがケース１３に収納されている。また、隔離板９の中央には透孔９ａが形成されていて、ベンチュリ管１１の吸入側１１ａを配設している。また、ベンチュリ管１１の排出側１１ｂは、袋状の集塵フィルター１２を取り付けるための保持板１４に取り付けられている。さらに、集塵フィルター１２の右方に位置するケース１３の背面には送風孔が形成され、そのケース１３の内面側に繊維フィルター１５が配設されている。なお、この繊維フィルター１５は省略しても良い。
【００１９】  なお、集塵部１０を収納するケース１３の集塵フィルター１２の上方は開放され、図２に示すように、一端側を蝶板１６によって連結した蓋体１７によって開閉自在に覆うようにしている。蓋体１７の他端側は、パチン錠からなる止着部材１８によって固定される。そして、蓋体１７を持ち上げてケース１３の上方を開放することによって、内部の集塵フィルター１２を交換することができる。また、ケース１３の底面には基台１９が設けられている。
【００２０】  さらに、エアー洗浄装置１には、コンプレッサー２０とコントローラ２１、及び、２台の電磁弁２２、２３が備えられている。コンプレッサー２０は圧縮エアーを送出する周知のコンプレッサーであり、コンプレッサー２０から送出された圧縮エアーは、電磁弁２２、２３にエアーホースを介して接続され、各電磁弁２２、２３は、エアーノズル５の導入口５ｂ及びベンチュリ管１１の流入口１１ｃに各々エアーホースを介して接続している。そして、ポンプ２０を作動させ、電磁弁２２を開くことにより、エアーノズル５の先端５ａから圧縮エアーを吹き出させるとともに、電磁弁２３を開くことによりベンチュリ管１１の流入口１１ｃに圧縮エアーを流入して、除塵室２内の空気を引き込むとともに、排出口１１ｂから集塵フィルター１２に排出するように動作させる。また、コントローラ２１は、前述したセンサ８の検出信号を受けてコンプレッサー２０の運転、及び、電磁弁２２、２３の開閉動作を制御するようにマイコンにプログラムされている。なお、ポンプコンプレッサー２０、電磁弁２２、２３、及び、コントローラ２１は、ケース１３の内部に収納しても良い。
【００２１】  次に、本考案によるエアー洗浄装置１の使用方法について説明する。エアー洗浄装置１によって洗浄するワーク２４は、電子機器や輸送機器等々に使用される各種部品や工業製品、或いは、医療用として例えば、歯科模型等であり、このワーク２４には、金属加工、樹脂成形、研磨加工等の製造工程で切削屑や研磨粉、もしくは、その他の付着物等の塵埃が付着している。このワーク２４を手で所持し、除塵室２の開口４に近付けると、ワーク２２がカバー３内に入れられることセンサ８が検知してコントローラ２１に信号を伝え、コントローラ２１の指令によりコンプレッサー２０を運転させる。手に所持したワーク２４を複数の放射状のスリット７ａを形成した柔軟なシートからなる手入れ窓７から挿入し、図１に示すように、ワーク２４を除塵室２のほぼ中央まで進行させる。このとき、手入れ窓７が柔軟なシートによって塞がれているので、除塵室２内の塵埃を含んだ空気を開口４から漏出させることが防止される。
【００２２】  ポンプコンプレッサー２０から送出された圧縮エアーは、コントローラ２１によって制御され、電磁弁２２、２３を開くことにより、圧縮エアーがパイプエアーホースを介してエアーノズル５の導入口５ｂ及びベンチュリ管１１の流入口１１ｃに送られる。エアーノズル５からワーク２４に圧縮エアーが吹き付けられ、付着している塵埃が吹き飛ばされる。このとき、カバー３がアクリル樹脂等の透明な樹脂によって形成されているので、外方から除塵室２の内部でワーク２２から塵埃が吹き飛ばされる状態を目視することができ、ワーク２４の姿勢を変化させることにより、殆どの塵埃がワーク２４から除去される。ワーク２４から除去された塵埃を含む空気は、ベンチュリ管１１の吸入側１１ａから引き込まれ、排出側１１ｂから集塵フィルター１２に排出される。
【００２３】  ベンチュリ管１１は、図３に示すように、円筒パイプ状に形成され、その中間部の内径を小径に形成し、流入口１１ｃからコンプレッサー２０から流入させた圧縮エアーを小径部分に流入するように構成されている。そして、圧縮エアーを図示の矢印のように小径部分から排出口１１ｂ方向に向けて流通させると、圧縮エアーの流通速度が小径部分によって早まることから吸入側１１ａ側が減圧状態となり、吸入側１１ａから空気を吸引し、圧縮エアーとともに排出側１１ｂ方向に空気が流通する。これにより、ベンチュリ管１１を吸引ポンプと同様に作用させることができる。
【００２４】  前述したように、ベンチュリ管１１の吸入側１１ａは、除塵室２に連通しているので、ワーク２４から除去された塵埃を含む空気を引き込むとともに、流入口１１ｃから流入された圧縮エアーが排出側１１ｂから排出される。その後、ベンチュリ管１１の排出側１１ｂに設けられた集塵フィルター１２によって塵埃が捕集され、集塵フィルター１２からはクリーンな空気が排出される。なお、集塵フィルター１２から塵埃が漏出した場合には、ケース１３の背面に配設された繊維フィルター１５によって捕集することができる。以上のように、エアーノズル５から圧縮エアーを吹き付けることにより、付着している塵埃が吹き飛ばされたワーク２２は、手入れ窓７から引き出される。
【００２５】  なお、エアーノズル５の先端５ａから圧縮エアーを吹き出すと、除塵室２のカバー３が中空の円筒状に形成されていることから、ワーク２４に吹き付ける圧縮エアーが、図１、図２において点線で示すように、カバー３の内面に沿って回転する。そのとき、ベンチュリ管１１の吸入側１１ａが塵埃を含む空気と圧縮エアーを吸引するので、これらのエアーが吸入側１１ａに収束される。このため、ワーク２４から除去された塵埃は、カバー３内部に停滞することなく排出されるので、ワーク２４への再付着を防止することができる。
【００２６】  以上、本考案を実施例に基づき具体的に説明したが、本考案は上記実施例に限定されるものではなく、その要旨を逸脱しない範囲で種々変形可能であることは言うまでもない。前述した実施例は、エアーノズル及びベンチュリ管を各々１台設置したが、必要に応じて２台以上を設置しても良い。また、除塵室のカバーは、完全な円筒形でなくても、例えば楕円形や略球形に形成しても良い。
【符号の説明】
【００２７】１    エアー洗浄装置
２    除塵室
３    カバー
４    開口
５    エアーノズル
５ａ  先端
７    手入れ窓
７ａ  スリット
８    センサ
１０    集塵部
１１    ベンチュリ管
１１ａ  吸入側
１１ｂ  排出側
１２    集塵フィルター
２０    コンプレッサー
２２、２３    電磁弁
２４    ワーク
【図１】
0003187294.tif 000003
【図２】
0003187294.tif 000004
【図３】
0003187294.tif 000005
【図４】
0003187294.tif 000006